(57)【要約】【課題】スチームを広範囲に噴霧可能なスチーム噴霧装置を提供する。【解決手段】スチームＳを噴霧するスチーム噴霧装置であって、スチームＳを噴霧する噴霧口２１を有するとともに、回動可能に設けられたスチームノズル２０と、スチームノズル２０を自動的に回動させるノズル回動機構３０と、を備える。また、スチームノズル２０は、回動の中立位置が調節可能である。さらに、スチーム噴霧装置は、赤外線照射ランプを備え、赤外線照射ランプは、スチームノズル２０とともに、回動可能に設けられている。【選択図】図５
0003212305.tif 000002
【実用新案登録請求の範囲】
【請求項１】
スチームを噴霧するスチーム噴霧装置であって、
スチームを噴霧する噴霧口を有するとともに、回動可能に設けられたスチームノズルと、
前記スチームノズルを自動的に回動させるノズル回動機構と、を備える
ことを特徴とするスチーム噴霧装置。
【請求項２】
前記スチームノズルは、回動の中立位置が調節可能である
ことを特徴とする請求項１に記載のスチーム噴霧装置。
【請求項３】
前記スチーム噴霧装置は、赤外線照射ランプを備え、
前記赤外線照射ランプは、前記スチームノズルとともに、回動可能に設けられている
ことを特徴とする請求項１又は２に記載のスチーム噴霧装置。
【請求項４】
前記スチーム噴霧装置は、前記スチームノズルを２つ備え、
前記赤外線照射ランプは、２つの前記スチームノズルの間に設けられている
ことを特徴とする請求項３に記載のスチーム噴霧装置。
【考案の詳細な説明】
【技術分野】
【０００１】
本考案は、スチームを噴霧するスチーム噴霧装置に関する。
【背景技術】
【０００２】
従来、水などの液体をヒータで加熱して沸騰させ、スチーム（蒸気）を発生させて、使用者の顔などの皮膚に向けて放出又は噴霧することで、肌に潤い（加湿効果及び加温効果）を与える美容機器（スチーム噴霧装置）が知られている（特許文献１及び２参照）。
【０００３】
従来のスチーム噴霧装置は、筐体から上方に延出するアームを備え、このアームの先端部に設けられるノズル（噴霧口）からスチームを噴霧させる構造であり、例えば、特許文献２に記載のスチーム噴霧装置では、アームの角度を変更することで、スチームの噴霧位置や噴霧方向が調節可能となっている。
【先行技術文献】
【特許文献】
【０００４】
【特許文献１】特開２０１５−０３９３９９号公報
【特許文献２】特開昭６３−００５７６２号公報
【考案の概要】
【考案が解決しようとする課題】
【０００５】
しかしながら、特許文献２に記載のスチーム噴霧装置では、スチームの噴霧位置や噴霧方向を調節できるものの、スチームの噴霧範囲は限定的で、広い範囲に噴霧することができなかった。
【０００６】
そこで、本考案は以上の課題に鑑みてなされたものであり、スチームを広範囲に噴霧可能なスチーム噴霧装置を提供することを目的とする。
【課題を解決するための手段】
【０００７】
（１）本考案に係る一つの態様は、スチームを噴霧するスチーム噴霧装置であって、スチームを噴霧する噴霧口を有するとともに、回動可能に設けられたスチームノズルと、前記スチームノズルを自動的に回動させるノズル回動機構と、を備える。
（２）上記（１）の態様において、前記スチームノズルは、回動の中立位置が調節可能であってもよい。
（３）上記（１）又は（２）の態様において、前記スチーム噴霧装置は、赤外線照射ランプを備え、前記赤外線照射ランプは、前記スチームノズルとともに、回動可能に設けられてもよい。
（４）上記（３）の態様において、前記スチーム噴霧装置は、前記スチームノズルを２つ備え、前記赤外線照射ランプは、２つの前記スチームノズルの間に設けられてもよい。
【考案の効果】
【０００８】
本考案によれば、スチームを広範囲に噴霧可能なスチーム噴霧装置を提供することができる。
【図面の簡単な説明】
【０００９】
【図１】本考案の実施形態に係るスチーム噴霧装置の正面側斜視図である。
【図２】本考案の実施形態に係るスチーム噴霧装置の背面側斜視図である。
【図３】ノズル回動機構の正面図である。
【図４】ノズル回動機構の左側面図である。
【図５】ノズル回動機構の右側面図である。
【図６】ノズル回動機構の下面図である。
【考案を実施するための形態】
【００１０】
以下、本考案の実施形態について、図面を参照して詳細に説明する。なお、本明細書の実施形態においては、全体を通じて、同一の部材には同一の符号を付している。
【００１１】
図１は、本考案の実施形態に係るスチーム噴霧装置１の正面側斜視図であり、図２は、本考案の実施形態に係るスチーム噴霧装置１の背面側斜視図である。
スチーム噴霧装置１は、液体を蒸気化してスチームＳを噴霧する美容機器（美顔器）として用いられるものであり、テスラー、クリーナーなど各種美容器具を収納可能な筐体１００で覆われて形成されている。ただし、スチーム噴霧装置１の用途は、これに限られず、加湿器などとして用いてもよい
【００１２】
この筐体１００は、上蓋１０１の裏側に、ミラーＭを備えており、上蓋１０１を開いた状態でミラーＭの下方両側に、後述する噴霧口２１を備えている。また、これらの噴霧口２１の間に、１００Ｗ程度の赤外線照射ランプＩＲを備えており、赤外線照射ランプＩＲの前方に、すなわち筐体１００の略中央部に、後述する給液タンク１０を収納している（図１参照）。なお、筐体１００の正面側上面には、各種操作スイッチが備えられている。
【００１３】
一方、筐体１００の背面側には、複数の開口１０３が形成されており、筐体１００内の空気を換気又は排気することができる（図２参照）。
【００１４】
給液タンク１０は、図示されない沸騰タンクに水などの液体を給液するものであり、噴霧すべき液体を貯留する空間と、給液口を閉止する給液弁（図示なし）とを有している。
沸騰タンクは、給液タンク１０から供給される液体を一時貯留する空間を有しヒータなどの加熱手段（図示なし）により、貯留した液体を沸騰させるものであり、沸騰により発生したスチームＳは、ダクト１２を介してスチームノズル２０に送られ、スチームノズル２０の噴霧口２１から使用者の顔などに向けて噴霧される。
【００１５】
左右一対のスチームノズル２０は、スチームＳの噴霧方向が上下に変化するように回動可能に形成されており、後述するノズル回動機構３０を用いて自動的に回動される。
【００１６】
ダクト１２は、可撓性を有する蛇腹状の樹脂管を用いて形成されているため、沸騰タンクとスチームノズル２０との間に接続されていても、スチームノズル２０の回動を阻害することはない。
【００１７】
スチームノズル２０は、スチームノズル２０から左右の外側方に延出する回動支軸２２を介して、左右のサイドフレーム１０４で上下回動可能に支持されている。このサイドフレーム１０４は、筐体１００に取り付けられる。詳細は後述するが、左右いずれか一方の回動支軸２２には、連結部３５が回転不能に設けられている。
【００１８】
そして、赤外線照射ランプＩＲは、左右の２つのスチームノズル２０の間に一体的に連結して設けられている。なお、本実施形態では、左右一対のスチームノズル２０は、その間に赤外線照射ランプＩＲを、一体的に連結したものとして説明するが、赤外線照射ランプＩＲを有さないものであってもよい。
【００１９】
つぎに、ノズル回動機構３０について、図３から図６を参照して説明する。
図３は、ノズル回動機構３０の正面図であり、図４は、ノズル回動機構３０の左側面図であり、図５は、ノズル回動機構３０の右側面図であり、図６は、ノズル回動機構３０の下面図である。
【００２０】
ノズル回動機構３０は、モータ３１と、減速部３２と、偏心部材３３と、揺動アーム３４と、連結部３５と、を備えている。
【００２１】
モータ３１は、モータ軸にウォームギヤ３１ａが一体的に設けられ、このウォームギヤ３１ａを一方向に連続的に回転させる（図４参照）。
【００２２】
減速部３２は、モータ３１の回転動力を減速するためのものであり、ウォームギヤ３１ａに噛み合うウォームホイール３２ａと、ウォームホイール３２ａと一体的に回転する第１小径ギヤ３２ｂと、第１小径ギヤ３２ｂと噛み合う第１大径ギヤ３２ｃと、第１大径ギヤ３２ｃと一体的に回転する第２小径ギヤ３２ｄと、第２小径ギヤ３２ｄと噛み合う第２大径ギヤ３２ｅと、減速された回転動力を出力する出力軸３２ｆと、を備えている。
【００２３】
偏心部材３３は、出力軸３２ｆに一体的に設けられており、偏心部材３３の端面には、出力軸３２ｆに対して偏心した偏心軸３３ａが突設されている（図３参照）。この偏心軸３３ａは、出力軸３２ｆの回転に応じて、出力軸３２ｆの軸心を中心とする円運動を行う。
【００２４】
揺動アーム３４は、上端が後述する連結部３５の揺動支持部３５ｂに前後揺動可能に支持される部材であり、連結部３５の揺動支持部３５ｂから下方に延在している。揺動アーム３４の下端側には、アーム長さ方向に沿う長孔３４ａが形成され、この長孔３４ａに偏心部材３３の偏心軸３３ａが挿通されている（図５参照）。このようにして、揺動アーム３４は、偏心軸３３ａの円運動に追従し、揺動支持部３５ｂを中心として前後方向に所定の範囲で往復揺動する。
【００２５】
これにより、揺動アーム３４の往復揺動をスチームノズル２０に伝達し、スチームノズル２０を自動的に回動させることが可能になる。なお、スチームノズル２０の回動範囲（例えば、１０°）は、偏心軸３３ａの偏心量や揺動アーム３４の長さなどを調節することで、任意に設定することができ、また、スチームノズル２０の回動範囲の動作時間（例えば、往復６秒）は、モータ３１の回転速度を調節することで、任意に設定することができる。
【００２６】
ところで、左右一対のスチームノズル２０は、スチームノズル２０の回動基準位置（中立位置）が調節可能となっている。具体的に説明すると、連結部３５は、本体３５ａと、揺動支持部３５ｂとで形成されている。
【００２７】
本体３５ａは、その中心にスチームノズル２０の回動支軸２２が、回転不能かつ軸方向にスライド自在に取り付けられている。一方、揺動支持部３５ｂは、上述したように、揺動アーム３４を揺動自在に支持している。
【００２８】
また、連結部３５は、図示されないコイルバネにより揺動アーム３４の一側面に対して弾性的に押し付けられている（図３参照）。そして、揺動アーム３４及び連結部３５の一方は、１又は複数の凸状の突起部が同一円周上に形成され、他方は、１又は複数の凹状の溝部（切欠部）が突起部に対応する同一円周上に形成されており、コイルバネの弾性力（押圧力）によって、突起部及び溝部を互いに係止嵌合させることで、揺動アーム３４及び連結部３５は連結され一体化されている。なお、連結部３５は、揺動支持部３５ｂの側に、手で回し操作される摘み部状に形成されたノブ２３が取り付けられている。
【００２９】
このように、揺動アーム３４及び連結部３５が構成されることにより、左右のスチームノズル２０は、揺動アーム３４の往復揺動に追従して、自動的に回動する。そして、ノブ２３を操作することで、スチームノズル２０と揺動アーム３４との相対角度を変更できるようになっている。
【００３０】
具体的には、スチームノズル２０と揺動アーム３４との相対角度を変更する場合、モータ３１を停止し、ウォームギヤ３１ａのセルフロック機能を利用して揺動アーム３４の揺動をロックした状態で、ノブ２３をコイルバネの弾性力に抗しながらスチームノズル２０側に押し込むと、揺動アーム３４と連結部３５との係止状態が解除され、更に回し操作すると、突起部が異なる回転角度位置の溝部に対向し、ノブ２３の押し込みをやめると、揺動アーム３４と連結部３５とは、調節前とは異なる角度で係止状態となる。これにより、揺動アーム３４とスチームノズル２０との相対角度が変更され、スチームノズル２０の回動基準位置（中立位置）を複数段階に調節することが可能になる。
【００３１】
このようにして、左右一対のスチームノズル２０は、ノズル回動機構３０により、スチームＳの噴霧方向が上下に変化するように自動的に回動させられる。
【００３２】
そして、赤外線照射ランプＩＲは、左右の２つのスチームノズル２０間に一体的に設けられているため、左右のスチームノズル２０とともに自動的に回動される。このとき、赤外線照射ランプＩＲは、スチームＳの噴霧停止状態で赤外線を照射するが、スチームＳの噴霧状態で赤外線を照射してもよい。
【００３３】
以上説明したとおり、本考案の実施形態に係るスチーム噴霧装置１は、スチームＳを噴霧する噴霧口２１を有するとともに、回動可能に設けられたスチームノズル２０と、スチームノズル２０を自動的に回動させるノズル回動機構３０と、を備える。これにより、スチームＳを使用者に対して広い範囲に噴霧できるだけでなく、スチームＳの密度差による加湿効果や加温効果のムラを抑制することができる。
【００３４】
なお、スチームＳを噴霧するスチームノズル２０を回動させる効果を確認するため、マネキンの顔に対してスチームノズル２０を回動させた場合と、回動させない場合とを比較する実験を行った。この結果、スチームノズル２０を回動させた場合は、マネキンの表面温度２６℃以上となる範囲が、スチームノズル２０を回動させない場合よりも１０％程度増えていた。
【００３５】
実施形態では、スチームノズル２０は、回動の中立位置が調節可能である。これにより、スチームＳの噴霧対象位置（例えば、顔の高さ位置）に応じた中立位置調節に基づいて、スチームＳによる加湿効果や加温効果を向上させることができる。
【００３６】
実施形態では、スチーム噴霧装置１は、赤外線照射ランプＩＲを備え、赤外線照射ランプＩＲは、スチームノズル２０とともに、回動可能に設けられている。これにより、使用者に対して赤外線も広い範囲に照射することができる。
【００３７】
なお、赤外線を照射する赤外線照射ランプＩＲを回動させる効果を確認するため、マネキンの顔に対して赤外線照射ランプＩＲを回動させた場合と、回動させない場合とを比較する実験を行った。この結果、赤外線照射ランプＩＲを回動させた場合は、マネキンの表面温度２５℃以上となる範囲が、赤外線照射ランプＩＲを回動させない場合よりも１５％程度増えていた。
【００３８】
実施形態では、スチーム噴霧装置１は、スチームノズル２０を２つ備え、赤外線照射ランプＩＲは、２つのスチームノズル２０の間に設けられている。これにより、スチームＳをより広い範囲に噴霧することができるとともに、２つのスチームノズル２０の間から赤外線を効率よく照射することができる。
【００３９】
（変形例）
上記実施形態では、左右２つのスチームノズル２０が、一体化され回動可能に設けられたが、それぞれ個々に回動可能に設けられてもよい。このとき、左右２つのスチームノズル２０は、同期されても、同期されなくてもよい。
【００４０】
また、上記実施形態では、ノズル回動機構３０は、沸騰タンク内の液体をヒータで加熱し沸騰させたスチームＳを発生させるスチーム噴霧装置１に適用したが、これに限らず、超音波振動機を用いて液体を霧状化し、ノズルから噴霧するような噴霧装置に適用してもよい。
【００４１】
以上、本考案の好ましい実施形態について詳述したが、本考案は上述した実施形態に限定されるものではなく、実用新案登録請求の範囲に記載された本考案の要旨の範囲内において、種々の変形、変更が可能である。
【符号の説明】
【００４２】
１    スチーム噴霧装置
１０  給液タンク
２０  スチームノズル、２１  噴霧口、２２  回動支軸、２３  ノブ
３０  ノズル回動機構、３１  モータ、３２  減速部、３３  偏心部材、３４  揺動アーム、３５  連結部、３５ａ  本体、３５ｂ  揺動支持部
１００  筐体、１０１  上蓋、１０３  開口、１０４  サイドフレーム
Ｍ      ミラー、ＩＲ  赤外線照射ランプ、Ｓ  スチーム
【図１】
0003212305.tif 000003
【図２】
0003212305.tif 000004
【図３】
0003212305.tif 000005
【図４】
0003212305.tif 000006
【図５】
0003212305.tif 000007
【図６】
0003212305.tif 000008